(57)【要約】【課題】  本発明は、机と書棚と移動ワゴンを組み合わせて使用する組み合わせデスクに係り、デスクと書棚と移動ワゴンを様々な体系に組み合わせ方を可能とする使い勝手がよい組み合せデスクを提供することを課題とするものである。【解決手段】  机と書棚と移動ワゴンで組み合わせデスクを構成し、机の引き出しを左右方向に移動可能とし、移動ワゴン天板を嵩上げ脚体で嵩上げし、移動ワゴン本体に着脱自在に設置し、着脱可能な机の脚体を、少なくとも前後一対の縦支柱で構成し、縦支柱間に移動ワゴン天板が収容可能な大きさに、前後一対の縦支柱の間隔と移動ワゴン天板の大きさを設定し、移動ワゴン本体から取り外される移動ワゴン天板を、机の引き出しユニットより後部側に収容可能とし、取り外された机の脚体を、前記収容された移動ワゴン天板を前後一対の縦支柱間に収め、机の引き出しユニットより後部側に収容可能とする。【選択図】図１４
2019208863.tif 000002
【特許請求の範囲】
【請求項１】
主に机と書棚と移動ワゴンからなり、机は、少なくとも天板と、天板に着脱自在に取り付けられる一対の脚体と、天板下方に配置する引き出しユニットで構成されるとともに、引き出しユニットは、一対の脚体間で左右方向に移動可能な大きさで形成され、机の一対の脚体間で左右方向に移動可能とされ、移動ワゴンは、移動ワゴン天板が、移動ワゴン本体より嵩上げ脚体によって嵩上げされて、移動ワゴン本体に着脱自在に設置されるとともに、嵩上げ脚体は、移動ワゴン天板に折りたたみ自在に連結され、嵩上げ脚体とともに移動ワゴン本体から取り外された移動ワゴン天板は、机の後部側に収容可能とされることを特徴とする組み合わせデスク。
【請求項２】
組み合せデスクは、机の脚体が取り外され、脚体が取り外された側の机の天板を書棚に連結し机の側面部で書棚が使用可能とされるものであって、取り外される脚体は、少なくとも前後一対の縦支柱を備え、縦支柱間に移動ワゴン天板が収容可能な大きさに、前後一対の縦支柱の間隔と移動ワゴン天板の大きさが設定され、取り外された机の脚体は、引き出しユニットより後部側に収容された移動ワゴン天板を前後一対の縦支柱間に収め、机の後部側に収容可能とされることを特徴とする請求項１に記載の組み合わせデスク。
【発明の詳細な説明】
【技術分野】
【０００１】
本発明は、机と書棚を組み合わせて使用する組み合わせデスクに係り、詳しくは、使い勝手に応じてデスクと書棚を様々な体系に組み合わせ可能とする組み合せデスク装置に関するものである。
【背景技術】
【０００２】
家庭等の勉強部屋や書斎等の執務空間で使用される机において、学習効率の向上や、使い勝手の向上を目的として、学習に使用する書籍、参考書、教科書等を整理収納しておく書棚が、机に近接して置かれる場合がある。
そのため、机と書棚を独立させ、机の後方に書棚を配置する体系や、机の側方に書棚を配置し、L字状に配置した体系に机と書棚を組み合わせる組み合わせデスクが従前よりある。
また、組み合わせデスクの中で、移動ワゴンと組み合わされ、移動ワゴンの天板を着脱させることにより、デスクサイドでの使用や、デスク下での使用を可能としたものがある（例えば特許文献１）。
しかしながら、デスクには通常引き出しがあるため、移動ワゴンの天板を取り外すだけでは、デスクの引き出し下にはワゴンを入れることができず、使い勝手が悪かった。
【先行技術文献】
【特許文献】
【０００３】
【特許文献１】特開２０１５−００９１１１公報
【発明の概要】
【発明が解決しようとする課題】
【０００４】
本発明は、机と書棚と移動ワゴンを組み合わせて使用する組み合わせデスクに係り、使い勝手に応じてデスクと書棚と移動ワゴンを様々な体系に組み合わせ方を可能とする使い勝手がよい組み合せデスクを提供することを課題とするものである。
【課題を解決するための手段】
【０００５】
そこで、上記課題を解決する為、本発明が第１の手段として構成したところは、主に机と書棚と移動ワゴンからなり、机は、少なくとも天板と、天板に着脱自在に取り付けられる一対の脚体と、天板下方に配置する引き出しユニットで構成されるとともに、引き出しユニットは、一対の脚体間で左右方向に移動可能な大きさで形成され、机の一対の脚体間で左右方向に移動可能とされ、移動ワゴンは、移動ワゴン天板が、移動ワゴン本体より嵩上げ脚体によって嵩上げされて、移動ワゴン本体に着脱自在に設置されるとともに、嵩上げ脚体は、移動ワゴン天板に折りたたみ自在に連結され、嵩上げ脚体とともに移動ワゴン本体から取り外された移動ワゴン天板は、机の後部側に収容可能とされるものである。
【０００６】
次に上記課題を解決する為、本発明が第２の手段として構成したところは、第１の手段とした構成に加え、組み合せデスクは、机の脚体が取り外され、脚体が取り外された側の机の天板を書棚に連結し机の側面部で書棚が使用可能とされるものであって、取り外される脚体は、少なくとも前後一対の縦支柱を備え、縦支柱間に移動ワゴン天板が収容可能な大きさに、前後一対の縦支柱の間隔と移動ワゴン天板の大きさが設定され、取り外された机の脚体は、引き出しユニットより後部側に収容された移動ワゴン天板を前後一対の縦支柱間に収め、机の後部側に収容可能とされるものである。
【発明の効果】
【０００７】
第１の手段として構成したところによると、移動ワゴン天板は嵩上げ脚体とともに移動ワゴン本体から取り外しができるので、移動ワゴン天板を取り外した移動ワゴン本体の高さを抑えることができ、移動ワゴン本体を机の引き出しの下方に配置することができる。
また、引き出しユニットが左右方向に移動できるので、引き出しユニットを移動ワゴン本体の上方から移動させることにより、容易に移動ワゴン本体の上部に物品を載置することができる。
そして、移動ワゴン天板は、机の引き出しユニットより後部側に収容可能とされるので、机の使用時に邪魔にならない。
また、嵩上げ脚体が移動ワゴン天板に折りたたみ自在に連結されるので、移動ワゴンの天板を机に収容可能する作業が、バラバラの各部材を収容する必要もなく容易に行える。
【０００８】
第２の手段として構成したところによると、第１の手段の効果に加え、取り外された机の脚体は、引き出しユニットより後部側に収容された移動ワゴン天板を前後一対の縦支柱間に収めながら、机の引き出しユニットより後部側に収容可能とされるから、収容スペースをコンパクトにすることができる。
【図面の簡単な説明】
【０００９】
【図１】机の右側面図
【図２】机の正面図
【図３】机の底面図
【図４】図２のＡ−Ａ線断面図
【図５】書棚の正面図
【図６】書棚の開口向きの変化を示す平面断面図
【図７】移動ワゴンの正面図
【図８】移動ワゴンの右側面図
【図９】図７のＢ−Ｂ線断面図
【図１０】連結金具の説明図
【図１１】机の両側部に書棚と移動ワゴンを配置した状態の正面図
【図１２】机の引き出し下部に移動ワゴンを配置した状態の正面図
【図１３】机と書棚を連結した状態の正面図
【図１４】机と書棚を連結した状態の背面図
【発明を実施するための形態】
【００１０】
主に机と書棚と移動ワゴンからなり、机を、少なくとも天板と、天板に着脱自在に取り付けられる一対の脚体と、天板下方に配置する引き出しユニットで構成するとともに、机の脚体を取り外し、脚体を取り外した側の机の天板を書棚に連結し机の側面部で書棚が使用可能とし、引き出しユニットを、一対の脚体間で左右方向に移動可能な大きさに形成し、机の一対の脚体間で左右方向に移動可能とし、移動ワゴンの移動ワゴン天板を、移動ワゴン本体より嵩上げ脚体で嵩上げし、移動ワゴン本体に着脱自在に設置するとともに、嵩上げ脚体を、移動ワゴン天板に折りたたみ自在に連結し、取り外される机の脚体を、少なくとも前後一対の縦支柱で構成し、縦支柱間に移動ワゴン天板が収容可能な大きさに、前後一対の縦支柱の間隔と移動ワゴン天板の大きさを設定し、嵩上げ脚体とともに移動ワゴン本体から取り外される移動ワゴン天板を、机の引き出しユニットより後部側に収容可能とし、取り外された机の脚体を、前記収容された移動ワゴン天板を前後一対の縦支柱間に収めながら、机の引き出しユニットより後部側に収容可能とする。
【実施例１】
【００１１】
第１実施例を、添付図面に基づいて詳述する。
図１、図２において、符号１は机を示し、机１は天板本体部１０と、天板本体部１０の左右端部側に連結ネジにて連結された左右脚体２、２より構成されている。
符号２０は左右脚体２、２を連結する脚体補強材を示し、脚体補強材２０の背面の左右方向中央部に、後述する移動ワゴン天板ユニット４２を吊り下げるための天板フック２３が設置されている。図１１において、符号３は、机１と連結可能な書棚を示している。
【００１２】
天板本体部１０は、図３に示すように、主に左右方向に長い長方形板状の天板１１と、天板１１下面に左右方向に延伸する前後一対のガイドレール１２、１２に左右移動可能に吊り下げられる引き出しユニット１３で構成されている。
【００１３】
ガイドレール１２は、前後一対で同形状のものが対称に配設されているので前側のガイドレール１２のみを詳述する。
ガイドレール１２は、図２、図４に示すように、図２の正面視において、左右脚体２、２間の長さに形成され、図４の側面視で、天板１１の下面から下方に延出したレール基部１２ａ、レール基部１２ａから前方に延出した受け部１２ｂで形成され、レール基部１２ａは前面が垂直で、後面が上面から前側下方に向かって傾斜面１２ｃを形成し、下面が水平となる形態であって、レール基部１２ａの前面下部より方形の受け部１２ｂが形成されている。
傾斜面１２ｃは、引き出し１３５内の収容物が、引き出し１３５が収容された状態の時に上方に飛び出した場合、引き出し１３５を引き出す時に、飛び出した収容物がガイドレール１２に干渉し引き出しが開かなくなることを防止するためのもので、引き出し１３５を引き出す時に傾斜面１２ｃの傾斜面に沿って、飛び出した収容物が下方に押し込まれるため、引き出しを開けることができる。
【００１４】
引き出しユニット１３は、図３、図４に示すように、天板１１の下面で、天板１１の先端から、脚体補強材２０の前面間のほぼ全幅にわたって形成され、所定の間隔で配設された引出左右側板１３１、１３１と、引出左右側板１３１、１３１下面に、引出左右側板１３１、１３１間の左右方向にわたって、前後一対に配設される引出側板補強桟１３２、１３２と、引出左右側板１３１、１３１上面のそれぞれに、前後一対に取り付けられるスライド部材１３３、１３３、１３３、１３３と、引出左右側板１３１、１３１の対向する面に取り付けられる引き出し支持用部材１３４、１３４（レール部材等）を介して前後方向で出入自在とされる引き出し１３５で構成されている。
【００１５】
スライド部材１３３は、前後一対で同形状のものが対称に配設されているので前側のスライド部材１３３のみを詳述する。
スライド部材１３３は、正面視において、引出左右側板１３１の巾寸法と略同じ巾に形成され、図４に示すように、側面視で、引出左右側板１３１の上面から上方に立ち上がる長方形の基部１３３ａと、基部１３３ａの上部後面から後方に向かって延出する係り部１３３ｂと、基部１３３ａの上面と係り部１３３ｂの上面を繋ぐように上方に円弧状に膨出した滑動部１３３ｃで形成されている。すなわち、上下逆向きのＬ字状に形成されている。
【００１６】
このように構成された天板本体部１０の側面より、引き出しユニット１３を、ガイドレール１２の受け部１２ｂの上面に、スライド部材１３３の係り部１３３ｂの下面が載置するように、引き出しユニット１３を左右方向に移動させながらスライド部材１３３とガイドレール１２を係合させる。あるいは、天板本体部１０に引き出しユニット１３を所定の位置に配置したのち、あらかじめ取り外しておいたガイドレール１２を、ガイドレール１２の受け部１２ｂの上面に、スライド部材１３３の係り部１３３ｂの下面が載置するように、天板１１下面にネジ止めし、スライド部材１３３とガイドレール１２を係合させる。
【００１７】
このように天板本体部１０に係合した引き出しユニット１３は、ガイドレール１２の長さの範囲で左右方向にスライド移動が可能となる。
尚、スライド部材１３３の滑動部１３３ｃは、引き出しユニット１３が上方に移動することによって発生するガタツキを抑えるため、膨出形態の上端部を天板１１の下面に接触させている。また、滑動部１３３ｃは、膨出形態の上端部を天板１１の下面に接触させているので、天板１１とは略線接触となり、過度な抵抗が生まれず、引き出しユニット１３の左右移動時に過度に重くなることや、引っかかりが生まれ左右移動がし難いといった問題を解消できる。
引き出しユニット１３は、ネジにて天板１１の下面に取り付けても良いが、その場合、天板１１の下面に、引き出しユニット１３に移動位置に合わせて多数の螺合孔を設ける必要があるので、ガイドレールを使って左右方向にスライド移動できるように構成する方が望ましい。
【００１８】
左右脚体２、２は対向した対称形に形成されているので、一方側のみ説明する。
右側脚体２は、前後に離間して配置する角柱状の前支持脚２１、後支持脚２２と、前支持脚２１、後支持脚２２の上部で、前支持脚２１と後支持脚２２を連結する上部補強材２２１と、前支持脚２１、後支持脚２２の下部で、前支持脚２１と後支持脚２２を連結する下部補強材２２２で構成され、側面視でロ字状に構成されている。
そして、左右脚体２、２は、ネジにて天板１１の下面と着脱可能に固定される。
【００１９】
書棚３は、図５に示すように、書棚天板３０と、書棚下部のベース体３１と、書棚天板３０とベース体３１間に形成される左収納部３００と右収納部３０１で構成され、該書棚３の上面が、机の天板１１の上面と同じ高さとなるように設定され、左収納部３００と右収納部３０１は、それぞれ、図６の（イ）〜（ニ）に示すように、構成部材の組み換えに  よって開口側の向きを変化させることができる。
ベース体３１は、平面視において、机の天板１１の前後長と略同じ横幅で、奥行きは、横幅寸法の約半分程度に設定され、書棚天板３０も、ベース体３１と同じく机の天板１１の前後長と略同じ横幅で、奥行きは、横幅寸法の約半分程度に設定される。
【００２０】
左収納部３００と右収納部３０１は左右対称形に形成されているので、左収納部３００について詳述する。
左収納部３００は、図５において、ベース体３１の上面の左右方向左側部に立設する書棚側板３２と、ベース体３１の上面の左右方向中央左寄りに立設する中側板３３と、書棚側板３２、中側板３３の上端面に載置、着脱自在に連結される書棚天板３０と、書棚側板３２、中側板３３間に着脱自在に架設される上下背板３５、３５、中間背板３６、同じく書棚側板３２、中側板３３間に着脱自在に架設される棚板３７で構成されている。
【００２１】
このように書棚３の開口部は、変化させることができるので、机１と書棚３の組合せパターンを多彩にすることができ、組み合わせデスクを設置する部屋のレイアウトに合わせて、使い勝手のよい机と書棚の組み合わせが可能である。
【００２２】
次に移動ワゴン４について説明する。
移動ワゴン４は、図７〜図９に示すように、主に移動ワゴン本体４１と、移動ワゴン天板ユニット４２で構成される。
移動ワゴン本体４１は、左右一対の側板４１１、４１１と、側板４１１、４１１の下部で側板４１１、４１１を連結する底板４１２と、側板４１１、４１１の上下方向中間部で側板４１１、４１１を連結するワゴン天板４１３と、側板４１１、４１１の後部で側板４１１、４１１を連結するワゴン背面板４１６と、底板４１２とワゴン天板４１３とワゴン背面板４１６で形成される空間に、開閉自在に設置されるワゴン引き出し体と、側板４１１、４１１の上部前方側で側板４１１、４１１を連結する落下防止杆４１６と、底板下面に取り付けられる複数のキャスター６１７で構成されている。
【００２３】
移動ワゴン天板ユニット４２は、移動ワゴン天板４２１と、移動ワゴン天板４２１の下面で、丁番４２３、４２３、４２３で連結される左右一対の嵩上げ脚体４２２、４２２で構成される。
嵩上げ脚体４２２、４２２は、移動ワゴン本体４１の側板４１１、４１１の上面に連結できるように、側板４１１、４１１と同じ間隔で設定され、丁番４２３によって、移動ワゴン天板４２１の下面に沿うように折りたたみ可能とされる。
【００２４】
移動ワゴン天板４２１は、机１の脚体２の前支持脚２１、後支持脚２２間に納まる横幅で、机１の脚体２の上部補強材２２１、下部補強材２２２間に納まる奥行き幅に設定されている。また、後端部近傍の下面に吊り孔４２１ａが形成されている。
そして、嵩上げ脚体４２２の下面と側板４１１の上面は、図１０に示すような公知技術（例えば特許第５３３６１２０号に記載されているノックダウン金具５）である連結ピン６０１と締結駒６０２からなる連結金具６０にて着脱自在に締結連結される。
【００２５】
側板４１１は、机１の引き出しユニット１３の下部に配置できる高さに設定されており、ワゴン天板４１３は、側板４１１の中間部に設置されているから、移動ワゴン天板ユニット４２が取り外された移動ワゴン本体４１は、上面が開放されたオープンラックとして使用可能である。落下防止杆４１６は、オープンラック上に載置したものが安易に落下しないようにする落下防止機能と、移動ワゴン４の移動時の操作ハンドルを兼ねている。
【００２６】
本発明は上記の如く構成され、机１と書棚３と移動ワゴン４の組み合わせ例を説明する。
図１１に示すように、机１の右側部に書棚３が配置され、机１の左側部に移動ワゴン４が配置される状態が基本形態である。尚、書棚３の上部には、上書棚３ａを組み合わすことも可能である。
【００２７】
次に、移動天板ユニット４２と移動ワゴン本体４１の連結金具６０の締結を解き、移動ワゴン本体４１から移動天板ユニット４２を取り外す。
そして、移動ワゴン本体４１を机１の引き出しユニット１３の下部に配置した状態が図１２に示すものである。
取り外された移動天板ユニット４２は、嵩上げ脚体４２２、４２２がそれぞれ、丁番４２３によって、移動ワゴン天板４２１の下面に折りたたまれる。このとき、嵩上げ脚体４２２は移動ワゴン天板４２１の下面にマグネットによって、仮固定される。
そして、移動ワゴン天板４２１の吊り孔４２１ａを使って、机１の天板フック２３に吊り下げられて、移動天板ユニット４２は机１の後部側に収容される。
このように、嵩上げ脚体４２２は、丁番４２３によって移動ワゴン天板４２１に連結されているから、移動ワゴン天板４２１と嵩上げ脚体４２２が分離されることないため、嵩上げ脚体４２２の折りたたみ、展開作業が容易である。
【００２８】
図１２の状態から、引き出しユニット１３を右側にスライド移動させると、移動ワゴン本体４１の上面にランドセルなどの嵩高い物品を載置できるようになる。
次に、図１２の状態から机１の右側の脚体２を取り外し、図１３に示すように天板１１を、所定の金具６１を使って、書棚３とネジ止め連結する。このように書棚３側の脚体２を取り外すと、書棚３は、机下部からでも使いやすくなる。
【００２９】
取り外した脚体２は、机１の脚体補強材２０の背面にネジにて固定される。
この時、移動ワゴン天板４２１は、机１の脚体２の前支持脚２１、後支持脚２２間に納まる横幅で、机１の脚体２の上部補強材２２１、下部補強材２２２間に納まる奥行き幅に設定されているから、図１４に示すように、脚体２の前支持脚２１、後支持脚２２、上部補強材２２１、下部補強材２２２で形成される内側空間部に移動ワゴン天板ユニット４２が内包する状態で、脚体２を机１の後部側に収容できるので、移動ワゴン天板ユニット４２と脚体２をコンパクトに収容することが可能である。
例えば、脚体２と移動ワゴン天板ユニット４２を机１並列に収容すると机天板の幅が大きくなりやすい。また、脚体２と移動ワゴン天板ユニット４２を前後に重ねて収容すると厚みが出るため、机の机天板の奥行きが大きくなりやすい。
このように本発明品は、取り外した脚体と移動ワゴン天板ユニットをコンパクトに収容できるから、机の天板の大きさを小さくしたコンパクトな机にも対応可能である。
また、脚体２は、実施例のようにロ字状でなくとも、下部補強材２２２がない下向きコ字状のものでもよく、脚体２に形成される内側空間に移動ワゴン天板が収まる形状であればよい。
【産業上の利用可能性】
【００３０】
以上のように、本発明は、机と書棚と移動ワゴンの組合せパターンを多彩にすることができ、組み合わせデスクを設置する部屋のレイアウトに合わせて、使い勝手のよい机と書棚の組み合わせが可能であるから、家庭等の勉強部屋や書斎等の執務空間で広く利用することができる。
【符号の説明】
【００３１】
１        机
１１      天板
１２      ガイドレール
１３      引き出しユニット
１３３    スライド部材
２        脚体
２０      脚体補強材
２１      前支持脚
２２      後支持脚
２３      天板フック
２２１    上部補強材
２２２    下部補強材
３        書棚
３００    左収納部
３０１    右収納部
４        移動ワゴン
４１      移動ワゴン本体
４１１    側板
４１２    底板
４１３    ワゴン天板
４１４    ワゴン背面板
４２      移動ワゴン天板ユニット
４２１    移動ワゴン天板
４２１ａ  吊り孔
４２２    嵩上げ脚体
４２３    丁番
【図１】
2019208863.tif 000003
【図２】
2019208863.tif 000004
【図３】
2019208863.tif 000005
【図４】
2019208863.tif 000006
【図５】
2019208863.tif 000007
【図６】
2019208863.tif 000008
【図７】
2019208863.tif 000009
【図８】
2019208863.tif 000010
【図９】
2019208863.tif 000011
【図１０】
2019208863.tif 000012
【図１１】
2019208863.tif 000013
【図１２】
2019208863.tif 000014
【図１３】
2019208863.tif 000015
【図１４】
2019208863.tif 000016